(57)【要約】【課題】  過給圧を十分に上昇させることで、スムーズな登り坂発進を行う。【解決手段】  車両重量W(kg)に応じたプレアシストベース電力Vprebを算出する。これと共に、加速度A(m/s2)の値から、車両が位置する登り坂の傾斜角度を算出し、該傾斜角度に応じたプレアシスト傾斜補正電力Vpreiを算出する（ステップ１０２）。これらのプレアシストベース電力Vprebとプレアシスト傾斜補正電力Vpreiを加算することにより、プレアシスト最終電力Vprefを算出する（ステップ１０４）。ステップ１０６において車両発進前であると判別されると、ステップ１０８においてプレアシスト最終電力VprefをＭＡＴの電動機に供給する（ＭＡＴプレアシストＯＮ）。【選択図】      図２
2006291894.tif 000002
【特許請求の範囲】
【請求項１】
内燃機関の吸気通路に設けられたコンプレッサと、該コンプレッサを駆動可能な電動機とを有する過給機と、
車両の登り坂に停止している状態を検出する登り坂発進状態検出手段と、
前記車両が位置する登り坂の傾斜度合を検出する傾斜度合検出手段と、
前記傾斜度合検出手段により検出された傾斜度合に応じて前記電動機に供給する電力を算出する電力算出手段と、
前記車両が登り坂を発進する前に、前記電力算出手段により算出された電力を前記電動機に供給する電動機制御手段とを備えたことを特徴とする電動機付き過給機を有する内燃機関の制御装置。
【請求項２】
請求項１に記載の電動機付き過給機を有する内燃機関の制御装置において、
前記電力算出手段は、前記車両の重量に応じて前記電力を算出するものであることを特徴とする電動機付き過給機を有する内燃機関の制御装置。
【請求項３】
請求項１又は２に記載の電動機付き過給機を有する内燃機関の制御装置において、
前記過給機により過給された空気の一部を前記過給機に導入する吸気バイパス通路と、
前記吸気バイパス通路を開閉する吸気バイパス弁と、
前記電力算出手段により算出された電力が大きいほど前記吸気バイパス弁の開度を大きく算出する開度算出手段と、
前記電動機に電力を供給する前に、前記開度算出手段により算出された開度に前記吸気バイパス弁を開弁する開弁手段とを更に備えたことを特徴とする電動機付き過給機を有する内燃機関の制御装置。
【請求項４】
請求項３に記載の電動機付き過給機を有する内燃機関の制御装置において、
前記開度算出手段により算出された前記吸気バイパス弁の開度に応じて、前記電力算出手段により算出された電力を補正する電力補正手段を更に備え、
前記電動機制御手段は、前記電力補正手段により補正された電力を前記電動機に供給するものであることを特徴とする電動機付き過給機を有する内燃機関の制御装置。
【請求項５】
請求項１から４の何れかに記載の電動機付き過給機を有する内燃機関の制御装置において、
前記傾斜度合検出手段は、前記車両の発進直後の傾斜度合を再検出するものであり、
前記車両の発進直後に再検出された傾斜度合に応じて、前記電動機に供給されている電力を変更する供給電力変更手段を更に備えたことを特徴とする電動機付き過給機を有する内燃機関の制御装置。
【請求項６】
請求項５に記載の電動機付き過給機を有する内燃機関の制御装置において、
前記車両の速度を検出する車速検出手段を更に備え、
前記供給電力変更手段は、前記車両の発進直後に検出された車速に応じて、前記電動機に供給されている電力を変更するものであることを特徴とする電動機付き過給機を有する内燃機関の制御装置。
【請求項７】
請求項１から６の何れかに記載の電動機付き過給機を有する内燃機関の制御装置において、
前記内燃機関から排出された排気ガスの一部を該内燃機関に再循環させるＥＧＲ通路と、
前記内燃機関の排気通路に設けられ、前記コンプレッサと連結されたタービンと、
前記タービンに設けられ、排気ガスが流れる流路の断面積を変更可能な排気流路断面積可変手段とを更に備え、
前記排気流路断面積可変手段は、前記車両の発進直後における排気ガス流路の断面積を定常運転時の断面積と同等以上に変更するものであることを特徴とする電動機付き過給機を有する内燃機関の制御装置。
【発明の詳細な説明】
【技術分野】
【０００１】
本発明は、電動機により駆動可能な過給機を有する内燃機関の制御装置に関する。
【背景技術】
【０００２】
電動機により駆動可能な過給機を有する内燃機関が知られている（例えば、特許文献１参照。）。この内燃機関によれば、車両発進前に電動機を駆動して過給圧を上昇させておくことで、発進時においてアクセルの踏込みに対する加速の応答性を向上させることができる。
【０００３】
【特許文献１】特開平２−１２３２４２号公報
【特許文献２】特開平４−８１５３１号公報
【発明の開示】
【発明が解決しようとする課題】
【０００４】
ところで、登り坂発進時には、通常の発進時に比して十分大きい発進トルクを確保する必要がある。発進トルクを確保するには、車両運転者によるアクセル踏み込み量を多くし、燃料噴射量を増量させる必要がある。
しかしながら、過給圧の上昇が不十分である場合に、燃料噴射量を増量させるだけでは、十分な発進トルクを得ることができない。登り坂発進時に十分な発進トルクを確保するためには、通常の発進時に比して過給圧を大きく上昇させる必要がある。
【０００５】
本発明は、上述のような課題を解決するためになされたもので、過給圧を十分に上昇させることで、スムーズな登り坂発進を行うことを目的とする。
【課題を解決するための手段】
【０００６】
第１の発明は、上記の目的を達成するため、電動機付き過給機を有する内燃機関の制御装置であって、内燃機関の吸気通路に設けられたコンプレッサと、該コンプレッサを駆動可能な電動機とを有する過給機と、
車両の登り坂に停止している状態を検出する登り坂発進状態検出手段と、
前記車両が位置する登り坂の傾斜度合を検出する傾斜度合検出手段と、
前記傾斜度合検出手段により検出された傾斜度合に応じて前記電動機に供給する電力を算出する電力算出手段と、
前記車両が登り坂を発進する前に、前記電力算出手段により算出された電力を前記電動機に供給する電動機制御手段とを備えたことを特徴とする。
【０００７】
また、第２の発明は、第１の発明において、前記電力算出手段は、前記車両の重量に応じて前記電力を算出するものであることを特徴とする。
【０００８】
また、第３の発明は、第１又は第２の発明において、前記過給機により過給された空気の一部を前記過給機に導入する吸気バイパス通路と、
前記吸気バイパス通路を開閉する吸気バイパス弁と、
前記電力算出手段により算出された電力が大きいほど前記吸気バイパス弁の開度を大きく算出する開度算出手段と、
前記電動機に電力を供給する前に、前記開度算出手段により算出された開度に前記吸気バイパス弁を開弁する開弁手段とを更に備えたことを特徴とする。
【０００９】
また、第４の発明は、第３の発明において、前記開度算出手段により算出された前記吸気バイパス弁の開度に応じて、前記電力算出手段により算出された電力を補正する電力補正手段を更に備え、
前記電動機制御手段は、前記電力補正手段により補正された電力を前記電動機に供給するものであることを特徴とする。
【００１０】
また、第５の発明は、第１から第４の何れかの発明において、前記傾斜度合検出手段は、前記車両の発進直後の傾斜度合を再検出するものであり、
前記車両の発進直後に再検出された傾斜度合に応じて、前記電動機に供給されている電力を変更する供給電力変更手段を更に備えたことを特徴とする。
【００１１】
また、第６の発明は、第５の発明において、前記車両の速度を検出する車速検出手段を更に備え、
前記供給電力変更手段は、前記車両の発進直後に検出された車速に応じて、前記電動機に供給されている電力を変更するものであることを特徴とする
【００１２】
また、第７の発明は、第１から第６の何れかの発明において、前記内燃機関から排出された排気ガスの一部を該内燃機関に再循環させるＥＧＲ通路と、
前記内燃機関の排気通路に設けられ、前記コンプレッサと連結されたタービンと、
前記タービンに設けられ、排気ガスが流れる流路の断面積を変更可能な排気流路断面積可変手段とを更に備え、
前記排気流路断面積可変手段は、前記車両の発進直後における排気ガス流路の断面積を定常運転時の断面積と同等以上に変更するものであることを特徴とする。
【発明の効果】
【００１３】
第１の発明によれば、車両が登り坂を発進する前に、登り坂の傾斜角度に応じた電力が電動機に供給される。これにより、車両の登り坂発進時に、過給圧を十分上昇させることができ、燃料噴射量を増量させることができる。よって、登り坂発進時に十分な発進トルクを確保することができるため、スムーズな登り坂発進を行うことができる。
【００１４】
第２の発明によれば、車両の重量に応じた電力が電動機に供給される。これにより、車両重量が重い場合には、車両重量が軽い場合に比べて電動機への供給電力を大きくすることができる。よって、車両重量が重い車両が登り坂発進する場合でも、十分な発進トルクを確保することができる。
【００１５】
第３の発明によれば、車両の登り坂発進前の電動機への電力供給に先立ち、吸気バイパス弁が開弁される。これにより、登り坂発進前におけるコンプレッサ圧を低減することができる。すなわち、登り坂発進前におけるターボサージを回避することができ、ターボ回転数を上げることができる。また、電力算出手段により算出された電力が大きいほど吸気バイパス弁の開度が大きく算出される。これにより、ターボ回転数が高い場合であっても、確実にターボサージを回避することができる。
【００１６】
第４の発明によれば、吸気バイパス弁の開弁に伴う過給圧の低下を補うように、電力算出手段により算出された電力が補正される。これにより、コンプレッサ圧を低減できると共に、吸気バイパス弁の開弁による過給圧の低下を防止することができる。
【００１７】
第５の発明によれば、車両の登り坂発進直後の傾斜度合に基づき、電動機への供給電力が変更される。これにより、電動機の駆動制御が精度良く行うことができ、スムーズな登り坂発進を実現することができる。
【００１８】
第６の発明によれば、車両の登り坂発進直度の車速に応じて、電動機への供給電力が変更される。車速が高い場合には、電動機への供給電力を抑えることにより、急発進を防止することができる。また、車速が低い場合には、電動機への供給電力を増やすことにより、車両の後退を防ぐことができる。
【００１９】
第７の発明によれば、車両の発進直後における排気ガス流路の断面積が、定常運転時の断面積と同等以上にされる。これにより、車両の発進直後においてＥＧＲ通路に流入する排気ガス量の増量を防ぐことができ、内燃機関に導入される排気ガス量の増加を防ぐことができる。よって、車両の発進直後に燃料噴射量を増量させた場合でもスモークの発生を抑えることができる。
【発明を実施するための最良の形態】
【００２０】
以下、図面を参照して本発明の実施の形態について説明する。尚、各図において共通する要素には、同一の符号を付して重複する説明を省略する。
【００２１】
実施の形態１．
図１は、本発明の実施の形態１によるシステム構成を示す図である。本実施の形態１のシステムは、電動機付き過給機（モータアシストターボチャージャ）を有するディーゼルエンジンである。
本実施の形態１のシステムは、複数の気筒２ａを有するエンジン本体２を備えている。エンジン本体２には冷却水温センサ４が設けられている。図１に示すシステムにおいて、エンジン本体２は、４つの気筒２ａに対応して、４つのインジェクタ６を有している。インジェクタ６は、高圧の燃料を気筒２ａ内に直接噴射するように構成されている。複数のインジェクタ６は、共通のコモンレール８に接続されている。コモンレール８は、サプライポンプ１０を介して燃料タンク１２に連通している。サプライポンプ１０は、燃料タンク１２から汲み上げた燃料を所定の圧力まで圧縮し、この圧縮された燃料をコモンレール８に供給するように構成されている。
【００２２】
エンジン本体２には、吸気マニホールド１４が接続されている。吸気マニホールド１４には、過給圧センサ１６が設けられている。過給圧センサ１６は、後述するコンプレッサ２６ａによって過給された空気（以下「過給空気」という。）の圧力、すなわち、過給圧PIMを測定するように構成されている。吸気マニホールド１４には吸気通路１８が接続されている。吸気マニホールド１４と吸気通路１８との接続部近傍には、吸気温度センサ２０が設けられている。吸気温度センサ２０は、過給空気の温度を測定するように構成されている。吸気通路１８における吸気温度センサ２０の上流には、吸気絞り弁２２が設けられている。さらに、吸気絞り弁２２の上流には、インタークーラ２４が設けられている。インタークーラ２４は、過給空気を冷却するように構成されている。
【００２３】
インタークーラ２４の上流には、電動機付きターボチャージャ（以下「ＭＡＴ」という。）２６のコンプレッサ２６ａが設けられている。コンプレッサ２６ａは、図示しない連結軸を介してタービン２６ｂと連結されている。タービン２６ｂは、後述する排気通路４０に設けられている。このタービン２６ｂが排気エネルギにより回転駆動されることによって、コンプレッサ２６ａが回転駆動される。
コンプレッサ２６ａとタービン２６ｂの間には、電動機２６ｃである交流モータが設けられている。電動機２６ｃは、モータコントローラ２８に接続されている。モータコントローラ２８は、電動機２６ｃに電力を供給するように構成されている。電動機２６ｃの駆動軸は、上記連結軸を兼ねている。よって、コンプレッサ２６ａは、電動機２６ｃにより強制的に回転駆動可能に構成されている。
【００２４】
コンプレッサ２６ａの上流にはエアフロメータ３０が設けられている。エアフロメータ３０は、大気中から吸気通路１８内に吸入される空気の量（吸入空気量）を測定するように構成されている。エアフロメータ３０の上流にはエアクリーナ３２が設けられている。さらに、エアクリーナ３２の上流は、大気に開放されている。
【００２５】
コンプレッサ２６ａとエアフロメータ３０との間には、吸気バイパス通路３４の一端が接続されている。吸気バイパス通路３４の他端は、コンプレッサ２６ａとインタークーラ２４の間に接続されている。吸気通路１８と吸気バイパス通路３４の他端との接続部には、吸気バイパス弁３６が設けられている。この吸気バイパス弁３６が開弁されると、ＭＡＴ２６により過給された空気の一部が吸気バイパス通路３４を通ってコンプレッサ２６ａの吸気側に戻される。これにより、コンプレッサ２６ａの圧力を低減することができる。
【００２６】
また、エンジン本体２には、上記吸気マニホールド１４と対向するように排気マニホールド３８が接続されている。排気マニホールド３８には排気通路４０が接続されている。上述したように、排気通路４０には、ＭＡＴ２６のタービン２６ｂが設けられている。タービン２６ａは、排気通路４０を流通する排気ガスのエネルギによって回転駆動されるように構成されている。タービン２６ｂには、可変ノズル機構（「ＶＮ機構」ともいう。）４１が設けられている。可変ノズル機構４１は、ノズルを開閉することにより排気ガス流路の断面積を変更可能、すなわち、排気抵抗を変更可能に構成されている。該ノズルの開度を制御することにより、ＭＡＴ２６のタービン２６ｂ、詳細には、タービン２６ｂの回転翼に吹き付けられる排気ガスの流速を制御できる。
【００２７】
また、タービン２６ｂの下流には、排気ガスを浄化するための触媒４２が設けられている。
【００２８】
排気マニホールド３８にはＥＧＲ通路４４の一端が接続されている。ＥＧＲ通路４４の他端は、吸気マニホールド１４と吸気通路１８との接続部近傍に接続されている。吸気通路１８とＥＧＲ通路４４の他端との接続部近傍には、ＥＧＲバルブ４６が設けられている。ＥＧＲ通路４４の途中には、ＥＧＲ通路４４を流れる排気ガスを冷却するＥＧＲクーラ４８が設けられている。このＥＧＲバルブ４６が開弁されると、排気ガスの一部がＥＧＲ通路４４及びＥＧＲクーラ４８を通って吸気通路１８に戻される。排気ガスは空気に比べて酸素量が少ないため、ＮＯｘの生成量を低減することができる。
【００２９】
本実施の形態１のシステムは、制御装置であるＥＣＵ（Electronic Control Unit）６０を備えている。
ＥＣＵ６０の入力側には、冷却水温センサ４、過給圧センサ１６、吸気温度センサ２０、エアフロメータ３０、クランク角センサ５２、Ｇセンサ５４、車両重量センサ５５、車速センサ５６、アクセル開度センサ５８等が接続されている。クランク角センサ５２は、図示しないクランク軸の回転角度を検出するように構成されている。Ｇセンサ５４は、車両に作用する力に基づいて、車両進行方向であるＸ方向と、車両進行方向と平行な路面に対して垂直なＹ方向（図２参照）の加速度Aをそれぞれ検出するように構成されている。車両重量センサ５５は、車両駆動輪のダンパ部分（図示せず）に設けられ、車両の重量を検出するように構成されている。車速センサ５６は、車両の走行速度を検出するように構成されている。アクセル開度センサ５８は、車両運転者により操作されたアクセル開度（「アクセル踏込量」ともいう。）ACCPを検出するように構成されている。
また、ＥＣＵ６０の出力側には、インジェクタ６、ポンプ１０、モータコントローラ２８、吸気バイパス弁３６、可変ノズル機構４１、ＥＧＲバルブ４６等が接続されている。
ＥＣＵ６０は、クランク角センサ５２の出力に基づいて、機関回転数NEを算出する。
ＥＣＵ６０は、Ｇセンサ５４及び車速センサ５６の出力に基づいて、車両の登り坂発進状態を検出する。
ＥＣＵ６０は、Ｇセンサ５４の出力に基づいて、車両が位置する登り坂の傾斜度合を算出する（後述）。
ＥＣＵ６０は、車両重量センサ５５の出力に基づいて、車両の重量を検出する。
ＥＣＵ６０は、後述するように、電動機２６ｃに供給する電力を算出する。更に、ＥＣＵ６０は、モータコントローラ２８に対し、算出した電力を電動機２６ｃに供給するように指示する。
【００３０】
［実施の形態１の特徴］
車両の登り坂発進時には、車両の後退が起こりやすい。この車両の後退は、車両運転者にとって好ましくない。よって、登り坂発進時には、通常の発進時よりも十分大きい発進トルクを確保する必要がある。十分な発進トルクを確保するには、車両運転者によるアクセル踏込量を大きくし、燃料噴射量を増量させる必要がある。
しかしながら、吸気系における過給圧の上昇が不十分である場合に、燃料噴射量を増量させると、スモークが発生してしまう。従来から行われている制御によれば、スモークの発生を防止するため、過給圧の上昇が不十分である場合には、燃料噴射量の増量が制限される。その結果、登り坂発進時に十分な発進トルクを確保できない事態が生じ得る。
【００３１】
本実施の形態１においては、Ｇセンサ５４により検出された加速度A(m/s2)と、車速センサ５６により検出された車速V(m/s)とに基づいて、車両の登り坂発進状態を検出する。そして、登り坂発進前に、ＭＡＴ２６のプレアシストを実行する。すなわち、車両の発進前に、電動機２６ｃを作動させることによってコンプレッサ２６ａを強制的に回転駆動させて、過給圧を十分に上昇させる。これにより、車両運転者により操作されたアクセル開度ACCPに応じて、燃料噴射量を十分に増量させることができる。よって、スモークを発生することなく、登り坂発進時に十分な発進トルクを確保することができ、スムーズな登り坂発進を行うことができる。
【００３２】
また、坂道の傾斜度合が大きいほど、登り坂発進時に車両が後退しやすい。このため、本実施の形態１においては、以下に説明する方法を用いて、Ｇセンサ５４により検出された加速度Aに基づいて坂道の傾斜度合を算出する。上述したように、Ｇセンサ５４は、車両進行方向であるＸ方向と、路面に対して垂直なＹ方向の加速度をそれぞれ検出することが可能である。図２は、傾斜度合の算出方法を説明するための図である。図２（Ａ）は車両が水平斜度の路面に停車している状態を示す図であり、図２（Ｂ）は車両が坂道に停車している状態を示す図である。図２（Ａ）に示すように、水平斜度の路面に停車している場合には、車両進行方向に対して垂直なＹ方向に1G、車両後退方向であるＸ方向に0Gの加速度がそれぞれ発生する。図２（Ｂ）に示すように、傾斜度合θの登り坂に車両が停車している場合には、Ｙ方向に発生する加速度AyはAy=G×cosθで表される。加速度Ayと重力加速度Gが分かるため、傾斜度合θを算出することができる。
本実施の形態１では、上述した方法により算出した傾斜度合に応じて、ＭＡＴ２６のプレアシスト量を変更する。すなわち、坂道の傾斜角度に応じて電動機２６ｃに供給する電力を算出する。これにより、登り坂の傾斜角度に応じて、過給圧を精度良く制御することができる。よって、登り坂の傾斜角度が大きい場合であっても、燃料噴射量の増量が十分可能となるため、十分な発進トルクを確保することができる。
【００３３】
また、車両の乗員が多い場合や、車両にたくさんの荷物を積載する場合には、車両の重量が増加する。車両の重量が重いほど、登り坂発進時に車両が後退しやすい。このため、本実施の形態１においては、車両重量センサ５５により検出された車両重量に応じて、ＭＡＴ２６のプレアシスト量を変更する。すなわち、車両重量に応じて電動機２６ｃに供給する電力を算出する。これにより、車両重量に応じて、過給圧を精度良く制御することができる。よって、車両重量が重い場合であっても、燃料噴射量の増量が十分可能となるため、十分な発進トルクを確保することができる。
【００３４】
［実施の形態１における具体的処理］
図３は、本実施の形態１において、ＥＣＵ６０が実行するルーチンを示すフローチャートである。
図３に示すフローによれば、先ず、機関回転数NE(rpm)、アクセル開度ACCP(%)、過給圧PIM(kPa)、加速度A(m/s2)、車両重量W(kg)、車速V(n/s)の各値を取り込む（ステップ１００）。
【００３５】
次に、ステップ１０２において、先ず、ＥＣＵ６０内に予め記憶されたマップを参照して、車両重量W(kg)に応じたプレアシストベース電力（以下「ベース電力」という。）Vprebを算出する。ここで、車両重量W(kg)とは、車両自体の重量と、車両に乗っている乗員の重量と、車両に積載している荷物の重量との合計である。該マップにおいて、車両重量W(kg)が重いほどベース電力Vprebが大きくなるように設定されている。次に、加速度A(m/s2)の値から、車両が位置する登り坂の傾斜角度θを算出する。具体的には、Ｙ方向の加速度AyについてのAy=G×cosθの関係（図２参照）から、傾斜角度θを算出する。さらに、ＥＣＵ６０内に予め記憶された別のマップを参照して、加速度A(m/s2)、つまり、登り坂傾斜角度θに応じたプレアシスト傾斜補正電力（以下「傾斜補正電力」という。）Vpreiを算出する。該マップにおいて、加速度A(m/s2)、つまり傾斜角度θが大きいほど、傾斜補正電力Vpreiが大きくなるように設定されている。このステップ１０２で参照されるマップによれば、車両重量W(kg)及び傾斜角度θが大きいほど、ＭＡＴ２６のプレアシスト量が大きく設定される。
【００３６】
次に、実際にＭＡＴ２６に供給するプレアシスト最終電力（以下「最終電力」という。）Vprefを算出する（ステップ１０４）。この最終電力Vprefは、上記ステップ１０２で算出されたベース電力Vprebと傾斜補正電力Vpreiとを加算することにより求められる。よって、この最終電力Vprefは、車両重量W(kg)と登り坂の傾斜角度θとが考慮された値である。
【００３７】
次に、車速V(n/s)がゼロ以下、かつ、アクセル開度ACCP(%)がゼロであるか否かを判別する（ステップ１０６）。このステップ１０６では、車両が停止し、かつ、車両運転者によるアクセルの踏み込みがない状態であるか否かが判別される。すなわち、車両発進前であるか又は車両発進後であるかが判別される。ここでは、車速Vがゼロよりも小さい場合（僅かに車両が後退している場合）も、車両の停止、つまり、車両発進前であるとみなされる。このステップ１０６で車速Vがゼロより大きいか、又は、アクセルの踏み込みがあると判別された場合、つまり、車両発進後であると判別された場合には、本ルーチンを終了する。
【００３８】
一方、ステップ１０６で、車速Vがゼロ以下、かつ、アクセル開度ACCPがゼロであると判別された場合、つまり、車両が停止し、かつ、アクセルの踏み込みがないと判別された場合には、車両発進前であると判断される。すなわち、上記ステップ１０２で算出された傾斜角度θを考慮して、登り坂発進状態であると判断される。この場合、次のステップ１０８において、ＥＣＵ６０からモータコントローラ２８に電力供給指示が出される。この電力供給指示により、モータコントローラ２８から電動機２６ｃに上記ステップ１０４で算出された最終電力Vprefが供給され、電動機２６ｃによってＭＡＴ２６が強制駆動される（ＭＡＴプレアシストＯＮ）。これにより、車両発進前に、コンプレッサ２６ａの回転数が上昇し、過給圧が上昇する。
【００３９】
以上説明したように、図３に示すルーチンによれば、車両重量W及び登り坂傾斜角度θに応じて電動機２６ｃに供給する最終電力Vprefが算出され、車両が登り坂を発進する前にこの最終電力Vprefが電動機２６ｃに供給される。これにより、登り坂発進前にコンプレッサ２６ａが強制的に回転駆動され、過給圧が上昇する。よって、登り坂発進時に燃料噴射量を増量させることができるため、スモークを発生することなく、十分な発進トルクを確保することができる。
【００４０】
ところで、本実施の形態１では、ディーゼルエンジンのシステムについて説明したが、本発明を、ＭＡＴを有するガソリンエンジンのシステムに対しても適用することができる。
【００４１】
尚、本実施の形態１においては、ＥＣＵ６０が、ステップ１０２の処理を実行することにより第１の発明における「傾斜度合検出手段」が、ステップ１０２及び１０４の処理を実行することにより第１の発明における「電力算出手段」が、ステップ１０２及び１０６の処理を実行することにより第１の発明における「登り坂発進状態検出手段」が、ステップ１０６及びステップ１０８の処理を実行することにより第１の発明における「電動機制御手段」が、それぞれ実現されている。
また、ＥＣＵ６０が、ステップ１０２の処理を実行することにより第２の発明における「電力算出手段」が実現されている。
【００４２】
実施の形態２．
次に、図４を参照して、本発明の実施の形態２について説明する。本実施の形態２のシステムは、図１に示すハードウェア構成を用いて、ＥＣＵ６０に、後述する図４に示すルーチンを実行させることにより実現することができる。
【００４３】
［実施の形態２の特徴］
上記実施の形態１では、車両が登り坂を発進する前に、電動機２６ｃによりコンプレッサ２６ａを強制回転駆動させて、吸気系において高過給圧を実現した。
ところで、コンプレッサ２６ａに加わる圧力（以下「コンプレッサ圧」という。）が上昇し、サージ限界を超えてしまう場合がある。すなわち、コンプレッサ２６ａの強制回転中に、ターボサージが発生してしまう場合がある。この場合、コンプレッサ２６ａの回転数（以下「ターボ回転数」という。）が上昇せず、高い過給圧を実現することができなくなる。
【００４４】
そこで、本実施の形態２においては、モータコントローラ２８から電動機２６ｃに電力を供給する前に、吸気バイパス弁３６を開弁する。ここで、吸気バイパス弁３６の開度Pbypは、目標ターボ回転数Trevtrgに基づいて決定する。目標ターボ回転数Trevtrgは、車両重量センサ５５により検出された車両重量W(kg)と、Ｇセンサ５４により検出された加速度A(m/s2)とに基づいて算出することができる。具体的には、車両重量W(kg)に応じて算出された電力Vprebと、加速度A(m/s2)に応じて算出された電力Vpreiとに基づいて算出することができる。吸気バイパス弁３６を開弁させた後に、電動機２６ｃに電力を供給することにより、コンプレッサ圧を低減することができる。このため、ターボ回転数を目標値まで上昇させることができる。
また、本実施の形態２では、吸気バイパス弁３６の開弁に伴う過給圧の低下を補うため、電動機２６ｃに供給する電力を増加させる。よって、ＭＡＴ２６のプレアシスト実行中のターボサージを回避できると共に、高過給圧を実現することができる。
【００４５】
［実施の形態２における具体的処理］
図４は、本実施の形態２において、ＥＣＵ６０が実行するルーチンを示すフローチャートである。
図４に示すフローによれば、先ず、機関回転数NE(rpm)、アクセル開度ACCP(%)、過給圧PIM(kPa)、加速度A(m/s2)、車両重量W(kg)、車速V(n/s)の各値を取り込む（ステップ１００）。
次に、ステップ１０２において、上記実施の形態１と同様に、加速度A(m/s2)の値から登り坂傾斜角度θを算出する。そして、車両重量W(kg)に応じたベース電力Vprebと、登り坂傾斜角度θに応じた傾斜補正電力Vpreiとを算出する（ステップ１０２）。
【００４６】
次に、ＥＣＵ６０内に予め記憶されたマップを参照して、車両重量W(kg),加速度A(m/s2)の値に応じた、すなわち、該車両重量W(kg),加速度Aに基づき算出された電力Vpreb,Vpreiの値に応じた目標ターボ回転数Trevtrg(rpm)を算出する（ステップ１１０）。該マップにおいて、車両重量W(kg),加速度A(m/s2)の値が大きいほど、すなわち、該車両重量W,加速度Aに基づき算出された電力Vpreb,Vpreiの値が大きいほど、目標ターボ回転数Trevtrg(rpm)の値が大きくなるように設定されている。
【００４７】
次に、ＥＣＵ６０内に予め記憶されたマップを参照して、上記ステップ１１０で算出された目標ターボ回転数Trevtrg(rpm)に応じた吸気バイパス弁開度Pbyp(%)を算出する（ステップ１１２）。該マップにおいて、目標ターボ回転数Trevtrg(rpm)が大きいほど吸気バイパス弁開度Pbyp(%)が大きくなるように設定されている。このマップによれば、ターボサージが起こりやすい場合には、吸気バイパス弁３６が大きい開度で開弁される。
【００４８】
次に、ＥＣＵ６０内に予め記憶されたマップを参照して、上記ステップ１１２で算出された吸気バイパス弁開度Pbyp(%)に応じたプレアシストバイパス補正電力（以下「バイパス補正電力」という。）Vprebyを算出する（ステップ１１４）。該マップにおいて、吸気バイパス弁開度Pbyp(%)が大きいほどバイパス補正電力Vprebyが大きくなるように設定されている。このマップによれば、吸気バイパス弁３６の開弁に伴う過給圧の低下が大きいと推定される場合ほど、電力補正量が大きく設定される。
【００４９】
次に、実際にＭＡＴ２６に供給する最終電力Vprefを算出する（ステップ１１６）。この最終電力Vprefは、上記ステップ１０２で算出されたベース電力Vpreb及び傾斜補正電力Vpreiと、上記ステップ１１４で算出されたバイパス補正電力Vprebyとを加算することにより求められる。
【００５０】
次に、車速信号V(n/s)がゼロ、かつ、アクセル開度ACCP(%)がゼロであるか否かを判別する（ステップ１０６）。すなわち、車両発進前であるか又は車両発進後であるかが判別される。このステップ１０６で車速Vがゼロより大きいか、又は、アクセルの踏み込みがあると判別された場合、つまり、車両発進後であると判別された場合には、本ルーチンを終了する。
一方、ステップ１０６で、車速Vがゼロ以下、かつ、アクセル開度ACCPがゼロであると判別された場合、つまり、車両が停止し、かつ、アクセルの踏み込みがないと判別された場合には、車両発進前であると判断される。この場合、上記ステップ１１２で算出された吸気バイパス弁開度Pbyp(%)だけ吸気バイパス弁３６を開弁操作する（ステップ１１８）。
【００５１】
次に、ステップ１０８において、ＥＣＵ６０からモータコントローラ２８に電力供給指示が出される。この電力供給指示により、モータコントローラ２８から電動機２６ｃに上記ステップ１１６で算出された最終電力Vprefが供給され、電動機２６ｃによってＭＡＴ２６が強制駆動される（ＭＡＴプレアシストＯＮ）。
【００５２】
以上説明したように、図４に示すルーチンによれば、目標ターボ回転数Trevtrgに応じて吸気バイパス弁開度Pbypが算出され、車両が登り坂を発進する前に、該開度Pbypに吸気バイパス弁３６が開弁操作される。その後、最終電力Vprefが電動機２６ｃに供給される。このように、電力供給に先立って吸気バイパス弁３６を開弁することにより、コンプレッサ圧を低減することができ、ターボサージを回避することができる。このため、ターボ回転数を目標値まで上昇させることができる。
また、ＭＡＴ２６に供給された最終電力Vprefは、吸気バイパス弁３６の開弁により低下する過給圧を補うバイパス補正電力Vprebyを含んでいる。よって、吸気バイパス弁３６を開弁した場合であっても、高過給圧を実現することができる。
【００５３】
尚、本実施の形態２においては、ＥＣＵ６０が、ステップ１１０及び１１２の処理を実行することにより第３の発明における「開度算出手段」が、ステップ１１８の処理を実行することにより第３の発明における「開弁手段」が、それぞれ実現されている。
また、ＥＣＵ６０が、ステップ１１４の処理を実行することにより第４の発明における「電力補正手段」が、ステップ１１６及び１０８の処理を実行することにより第４の発明における「電動機制御手段」が、それぞれ実現されている。
【００５４】
実施の形態３．
次に、図５を参照して、本発明の実施の形態３について説明する。本実施の形態３のシステムは、図１に示すハードウェア構成を用いて、ＥＣＵ６０に、後述する図５に示すルーチンを実行させることにより実現することができる。
【００５５】
［実施の形態３の特徴］
上記実施の形態１，２では、車両の登り坂発進前に、ＭＡＴ２６のプレアシストを実行することにより、高過給圧を実現した。
ところで、車両発進直後に登り坂の傾斜度合が変化した場合には、車両はスムーズな登り坂発進を行うことができない。ＭＡＴ２６のプレアシスト量が大きい場合には、車両が急発進する事態が起こり得る。一方、ＭＡＴ２６のプレアシスト量が小さいと、車両が後退する事態が起こり得る。
【００５６】
そこで、本実施の形態３では、車両が発進した直後の登り坂の傾斜度合を検出し、ＭＡＴ２６のアシスト量を補正する。これに加えて、Ｇセンサ５４により検出された加速度Aと、車速センサ５６により検出された車速Vとに基づいて、車両の後退及び急発進を予測する。そして、車両発進直後に車両の後退が予測される場合にはＭＡＴ２６のアシスト量を大きくする。また、車両の急発進が予測される場合にはＭＡＴ２６のアシスト量を小さくする。このように、登り坂発進直後にＭＡＴ２６のアシスト量を変更することにより、車両のスムーズな登り坂発進を実現することができる。
【００５７】
［実施の形態３における具体的処理］
図５は、本実施の形態３において、ＥＣＵ６０が実行するルーチンを示すフローチャートである。
図５に示すルーチンによれば、先ず、ＭＡＴ２６のプレアシストが実行中であるか否かを判別する（ステップ１２０）。すなわち、登り坂発進前にＭＡＴ２６に対して電力が供給され、ＭＡＴ２６が強制駆動されているか否かが判別される。
【００５８】
ステップ１２０でＭＡＴ２６のプレアシストが実行中であると判別された場合、つまり、ＭＡＴ２６が強制駆動されていると判別された場合には、車速Vがゼロより大きく、かつ、アクセル開度ACCPがゼロより大きいか否かを判別する（ステップ１２２）。このステップ１２２では、車両が発進したか否かが判別される。このステップ１２２で車両が発進していないと判別された場合には、本ルーチンを終了する。
【００５９】
一方、ステップ１２２で車両が発進したと判定された場合には、発進直後の機関回転数NE(rpm)、アクセル開度ACCP(%)、過給圧PIM(kPa)、加速度A(m/s2)、車速V(n/s)の各値を取り込む（ステップ１２４）。
【００６０】
次に、ＥＣＵ６０内に予め記憶されたマップを参照して、機関回転数NE(rpm)及び過給圧PIM(kPa)の値に応じた、ＭＡＴ作動時噴射量上限値αを演算する。該マップにおいて、機関回転数NE及び過給圧PIMの値が大きいほど、ＭＡＴ作動時噴射量上限値αが大きくなるように設定されている。このＭＡＴ作動時噴射量上限値αは、ＭＡＴ２６の作動中は逐次演算されている。そして、この演算したＭＡＴ作動時噴射量上限値αを噴射量上限値QFULLとして設定する（ステップ１２６）。この噴射量上限値QFULLは、スモーク発生を防止するために制限される燃料噴射量の限界を定めるものである。ＭＡＴ作動時の過給圧PIMは、タービン２６ｂに入力される排気エネルギでコンプレッサ２６ａを回転させる定常運転時に比べて高い。このため、ＭＡＴ作動時噴射量上限値αは、定常運転時噴射量βよりも大きい値である。この噴射量上限値QFULLは、ＭＡＴ作動時噴射量上限値αが逐次演算される毎に変更される。過給圧PIMの上昇に伴い噴射量上限値QFULLが大きくなるため、燃料噴射量を増量させることができる。
【００６１】
次に、加速度A(m/s2)の値から、車両が発進した直後の登り坂の傾斜角度を算出すると共に、発進前と発進直後の傾斜角度差を算出する。そして、ＥＣＵ６０内に予め記憶されたマップを参照して、傾斜角度差に応じた傾斜アシスト補正電力Vagを算出する（ステップ１２８）。該マップにおいて、傾斜角度差が大きい場合には傾斜アシスト補正電力Vagが大きくなるように設定されている。また、該マップにおいて、傾斜角度差が負の値である場合、つまり、発進前より発進直後の登り坂の傾斜角度が小さい場合には、傾斜アシスト補正電力Vagは負の値をとるように設定されている。このマップによれば、車両の発進直後に登り坂の傾斜がきつくなる場合には、ＭＡＴ２６のアシスト量が大きく変更される。
【００６２】
次に、加速度Aの値が所定値A0以下であり、かつ、車速Vの値が所定値V0以下であるか否かを判別する（ステップ１３０）。このステップ１３０では、車両が後退する可能性が高いか否かが判別される。ステップ１３０で車両が後退する可能性が高いと判別された場合、つまり、ＭＡＴ２６のアシスト量が小さいと判別された場合には、ＥＣＵ６０内に予め記憶された別のマップを参照して、加速度A及び車速Vの値に応じた車両後退防止アシスト補正電力Vbを算出する（ステップ１３２）。該マップにおいて、加速度A及び車速Vの値が小さいほど、車両後退防止アシスト補正電力Vbが大きくなるように設定されている。該マップによれば、車両発進直後に車両の後退が予測される場合には、ＭＡＴ２６のアシスト量が大きく変更される。
【００６３】
一方、ステップ１３０で車両が後退する可能性が低いと判別された場合には、加速度Aの値が所定値A1以上であり、かつ、車速Vの値が所定値V1以上であるか否かを判別する（ステップ１３４）。このステップ１３４では、車両が急発進する可能性が高いか否かが判別される。ステップ１３４で車両が急発進する可能性が低いと判別された場合には、後述するステップ１３８の処理に移行する。
一方、ステップ１３４で車両が急発進する可能性が高いと判別された場合、つまり、ＭＡＴ２６のアシスト量が大きいと判別された場合には、ＥＣＵ６０内に予め記憶された別のマップを参照して、加速度A及び車速Vの値から急発進防止アシスト補正電力Vcを算出する（ステップ１３６）。該マップにおいて、加速度A及び車速Vの値が大きいほど、急発進防止アシスト補正電力Vcが大きくなるように設定されている。この急発進防止アシスト補正電力Vcは、電動機２６ｃへの供給電力から減算されるものである（後述のステップ１３８参照）。よって、該マップによれば、車両の急発進が予測される場合には、ＭＡＴ２６のアシスト量が小さく変更される。
【００６４】
次に、実際の電動機２６ｃに供給されるアシスト最終電力Vaを算出する（ステップ１３８）。アシスト最終電力Vaは、車両発進前に供給された最終電力Vprefに、上記ステップ１２８で算出されたアシスト傾斜補正電力Vagと、上記ステップ１３２で算出された車両後退防止アシスト補正電力Vbとを加算し、上記ステップ１３６で算出された急発進防止アシスト補正電力Vcを減算することにより求められる。
【００６５】
次に、ＥＣＵ６０からモータコントローラ２８に電力供給変更指示が出される。この電力供給変更指示により、モータコントローラ２８から電動機２６ｃへの供給電力が、上記ステップ１３８で算出されたアシスト最終電力Vaに変更される（ステップ１４０）。
【００６６】
次に、過給圧PIMが所定値Aよりも大きく、加速度Aが所定値A0よりも大きく、かつ、車速Vが所定値V0よりも大きいか否かを判別する（ステップ１４２）。このステップ１４０では、過給圧PIMが目標過給圧Bまで上昇し、車両が後退する可能性が低いか否かが判別される。このステップ１４２で、過給圧PIMが目標過給圧Bまで上昇していないと判別された場合、又は、車両が後退する可能性が高いと判別された場合には、上記ステップ１２４の処理を再度実行する。
一方、ステップ１４２で、過給圧PIMが目標過給圧Bまで上昇し、車両が後退する可能性が低いと判別された場合には、ＥＣＵ６０からモータコントローラ２８に電力供給停止指示が出される（ステップ１４４）。この電力供給停止指示により、モータコントローラ２８から電動機２６ｃへの電力供給が停止され、電動機２６ｃによるＭＡＴ２６の強制駆動を終了する（ＭＡＴ作動ＯＦＦ）。
【００６７】
以上説明したように、図５に示すルーチンによれば、車両の発進直後の登り坂傾斜角度に基づいてアシスト傾斜補正電力Vagが算出される。そして、加速度Aと車速Vに基づいて車両の後退若しくは車両の急発進が予測され、その予測結果に応じて車両後退防止アシスト補正電力Vb若しくは急発進防止アシスト補正電力Vcが算出される。さらに、これらの電力Vag,Vb,Vcに基づいてアシスト最終電力Vaが算出され、電動機２６ｃへの供給電力がこのアシスト最終電力Vaに変更される。このように、車両が発進した後に、ＭＡＴ２６のアシスト量を補正することにより、スムーズな登り坂発進を実現することができる。
【００６８】
ところで、本実施の形態３においては、車両が発進した直後の加速度Aと車速Vに基づいて車両の後退及び急発進を予測しているが、車速Vのみに基づいて車両の後退及び急発進を予測するようにしてもよい。この場合も、上記実施の形態３で得られた効果と同様の効果が得られる。
【００６９】
尚、本実施の形態３においては、ＥＣＵ６０が、ステップ１２４及び１２８の処理を実行することにより第５の発明における「傾斜度合検出手段」が、ステップ１２８，１３８及び１４０の処理を実行することにより第５の発明における「供給電力変更手段」が、それぞれ実現されている。
また、ＥＣＵ６０が、ステップ１３２若しくはステップ１３６、及びステップ１３８，１４０の処理を実行することにより第６の発明における「供給電力変更手段」が実現されている。
【００７０】
実施の形態４．
次に、図６を参照して、本発明の実施の形態４について説明する。本実施の形態４のシステムは、図１に示すハードウェア構成を用いて、ＥＣＵ６０に、後述する図６に示すルーチンを実行させることにより実現することができる。
【００７１】
［実施の形態４の特徴］
上述した電動機２６ｃの駆動制御とは別に、ＥＣＵ６０は、ＥＧＲバルブ４６の制御を行っている。すなわち、ＥＧＲバルブ４６を開弁操作することにより、排気ガスの一部を吸気通路１８に環流させている。これにより、コンプレッサ２６ａにより過給された空気と共に、排気ガスの一部が気筒２ａ内に供給される。その結果、ＮＯｘ生成量を低減することができる。
更に、ＥＣＵ６０は、ＥＧＲバルブ４６の開閉制御とは別に、ＶＮ機構４１の制御を行っている。すなわち、コンプレッサ２６ａの回転数を大きくする場合には、ＶＮ機構４１のノズルを閉じる（絞る）。これにより、排気ガス流路の断面積が小さくなるため、排気抵抗が上昇すると共に、ＭＡＴ２６のタービン２６ｂに吹き付けられる排気ガスの流速が高くなる。その結果、タービンｂの回転数が大きくなり、コンプレッサ２６ａの回転数も大きくなる。
【００７２】
上述したように、本発明では、登り坂発進時に十分な発進トルクを確保するため、車両発進前にコンプレッサ２６ａを強制駆動させることにより過給圧を上昇させ、燃料噴射量を増量可能にしている。
ここで、上記ＶＮ機構４１の制御が並行して実行された場合には、過給圧を上昇させるため、つまり、コンプレッサ２６ａの回転数を大きくするため、排気ガス流路の断面積が小さくされる。このように、ＶＮ機構４１により排気ガス流路の断面積が小さくされると、ＥＧＲ通路４４に流れる排気ガス量が増大する。その結果、気筒２ａ内に供給される空気量に対する排気ガス量の割合が高くなる。このような状態で、燃料噴射量を増量すると、スモークが発生してしまう。
そこで、本実施の形態４では、登り坂発進直後にＶＮ機構４１により排気ガス流路の断面積を定常運転時の断面積と同等あるいはそれ以上とする。これにより、ＥＧＲ通路４４に流れる排気ガス量が増大しないため、スモークの発生を防止することができる。
【００７３】
［実施の形態４における具体的処理］
図６は、本実施の形態４において、ＥＣＵ６０が実行するルーチンを示すフローチャートである。
図６に示すルーチンは、上記実施の形態３の図５に示すルーチンにおけるステップ１２２とステップ１２４の間に、ステップ１４６の処理が加えられている。
つまり、本ルーチンによれば、ステップ１２２で車両が発進したと判別された場合には、ＶＮ機構４１の開度（以下「ＶＮ開度」という。）を制御することにより、排気ガス流路の断面積を、定常運転時の断面積と同等或いはそれ以上とする（ステップ１４６）。その後、ステップ１２４の処理に移行する。ステップ１４６以外の処理については、上記実施の形態３と同様であるため、説明を省略する。
図６に示すルーチンによれば、ＶＮ開度を制御することにより、ＥＧＲ通路４４に流れる排気ガス量の増大を防ぐことができる。このため、燃料噴射量の増量に伴うスモークの発生を防ぐことができる。
【００７４】
ところで、本実施の形態４では、車両発進直後にＶＮ開度を制御しているが、車両発進前にＶＮ開度を制御してもよい。この場合も、スモークの発生を防止することができる。
【００７５】
尚、本実施の形態４においては、ＥＣＵ６０が、ステップ１４６の処理を実行することにより第７の発明における「排気流路断面積可変手段」が実現されている。
【図面の簡単な説明】
【００７６】
【図１】本発明の実施の形態１によるシステム構成を示す図である。
【図２】傾斜度合の算出方法を説明するための図である。
【図３】本発明の実施の形態１において、ＥＣＵ６０が実行するルーチンを示すフローチャートである。
【図４】本発明の実施の形態２において、ＥＣＵ６０が実行するルーチンを示すフローチャートである。
【図５】本発明の実施の形態３において、ＥＣＵ６０が実行するルーチンを示すフローチャートである。
【図６】本発明の実施の形態４において、ＥＣＵ６０が実行するルーチンを示すフローチャートである。
【符号の説明】
【００７７】
２    エンジン本体
２ａ  気筒
４    冷却水温センサ
６    インジェクタ
８    コモンレール
１０  サプライポンプ
１２  燃料タンク
１４  吸気マニホールド
１６  過給圧センサ
１８  吸気通路
２０  吸気温度センサ
２２  吸気絞り弁
２４  インタークーラ
２６  ターボチャージャ
２６ａ  コンプレッサ
２６ｂ  タービン
２６ｃ  電動機
２８  モータコントローラ
３０  エアフロメータ
３２  エアクリーナ
３４  吸気バイパス通路
３６  吸気バイパス弁
３８  排気マニホールド
４０  排気通路
４１  可変ノズル機構
４２  触媒
４４  ＥＧＲ通路
４６  ＥＧＲバルブ
４８  ＥＧＲクーラ
５２  クランク角センサ
５４  Ｇセンサ
５５  車両重量センサ
５６  車速センサ
５８  アクセル開度センサ
６０  ＥＣＵ
【図１】
2006291894.tif 000003
【図２】
2006291894.tif 000004
【図３】
2006291894.tif 000005
【図４】
2006291894.tif 000006
【図５】
2006291894.tif 000007
【図６】
2006291894.tif 000008